(57)【要約】【課題】  小さな表示スペースしかなくても、ユーザが必要とする項目のみを表示することで、当該表示スペースを有効に使用することができる文書処理装置、文書処理システム、文書処理方法、文書処理プログラムおよび記録媒体を提供する。【解決手段】  複数の文書のそれぞれのレイアウトを抽出し当該レイアウトに基づき文書を区分する文書区分手段１０２と、前記各文書中の類似していない個所を抽出する非類似個所抽出手段１０３と、非類似個所抽出手段が抽出した個所のみを表示する非類似個所表示手段１０４とを有し、さらに前記各文書中の類似している個所を抽出する類似個所抽出手段１０６、類似個所抽出手段が抽出した個所のみを表示する類似個所表示手段１０７を有する。【選択図】      図４
2005063220.tif 000002
【特許請求の範囲】
【請求項１】
複数の文書のそれぞれのレイアウトを抽出し当該レイアウトに基づき文書を区分する文書区分手段と、  前記各文書中の類似していない個所を抽出する非類似個所抽出手段と、
前記非類似個所抽出手段が抽出した個所のみを表示する非類似個所表示手段と、
を有することを特徴とする文書処理装置。
【請求項２】
前記複数の文書の全体の類似度に応じて文書を分類する文書分類手段を有することを特徴とする請求項１に記載の文書処理装置。
【請求項３】
複数の文書のそれぞれのレイアウトを抽出し当該レイアウトに基づき文書を区分する文書区分手段と、
前記各文書中の類似していない個所を抽出する非類似個所抽出手段と、
前記各文書中の類似している個所を抽出する類似個所抽出手段と、
前記非類似個所抽出手段が抽出した個所のみを表示する非類似個所表示手段と、
前記類似個所抽出手段が抽出した個所のみを表示する類似個所表示手段と、
を有することを特徴とする文書処理装置。
【請求項４】
前記類似個所表示手段に表示される文書の解像度に比べて前記非類似個所表示手段に表示される文書の解像度が高いこと、または圧縮率が低いことを特徴とする請求項３に記載の文書処理装置。
【請求項５】
前記複数の文書の全体の類似度に応じて文書を分類する文書分類手段を有することを特徴とする請求項３または４に記載の文書処理装置。
【請求項６】
前記類似個所表示手段は、前記文書分類手段により分類された複数の文書の中の代表的な１つの文書の類似個所または、複数の文書のうち平均的な少なくとも１つの文書の類似個所を表示し、前記非類似個所表示手段は、前記類似個所表示手段が表示するよりも多くの非類似個所を表示することを特徴とする請求項５に記載の文書処理装置。
【請求項７】
前記類似個所表示手段は、前記文書分類手段により分類された複数の文書の中の代表的な１つの文書の類似個所または、複数の文書のうち平均的な少なくとも１つの文書の類似個所を表示し、前記非類似個所表示手段は非類似個所を、前記類似個所表示手段が表示する類似個所とオーバラップして表示することを特徴とする請求項５に記載の文書処理装置。
【請求項８】
次の文書を表示したときは、前記非類似個所表示手段は非類似個所のみを表示することを特徴とする請求項５に記載の文書処理装置。
【請求項９】
請求項１に記載の文書区分手段および前記非類似個所抽出手段と請求項２に記載の文書分類手段とを備えたサーバが、請求項１に記載の非類似個所表示手段を備えたクライアントに接続されていることを特徴とする文書処理システム。
【請求項１０】
請求項３に記載の文書区分手段と、類似個所抽出手段および非類似個所抽出手段と、請求項５に記載の文書分類手段とを備えたサーバが、請求項３，４，６，７，８の何れかに記載の記載の類似個所表示手段および非類似個所表示手段を備えたクライアントに接続されていることを特徴とする文書処理システム。
【請求項１１】
複数の文書のそれぞれのレイアウトを抽出し当該レイアウトに基づき文書を区分する文書区分ステップと、
前記各文書中の類似していない個所を抽出する非類似個所抽出ステップと、
前記非類似個所抽出手段が抽出した個所のみを表示する非類似個所表示ステップと、
を有することを特徴とする文書処理方法。
【請求項１２】
前記複数の文書の全体の類似度に応じて文書を予め分類する文書分類ステップを有することを特徴とする請求項１１に記載の文書処理方法。
【請求項１３】
複数の文書のそれぞれのレイアウトを抽出し当該レイアウトに基づき文書を区分する文書区分ステップと、
前記各文書中の類似していない個所を抽出する非類似個所抽出ステップと、
前記各文書中の類似している個所を抽出する類似個所抽出ステップと、
前記非類似個所抽出手段が抽出した個所のみを表示する非類似個所表示ステップと、
前記類似個所抽出手段が抽出した個所のみを表示する類似個所表示ステップと、
を有することを特徴とする文書処理方法。
【請求項１４】
前記類似個所表示ステップにおいて表示される文書の解像度に比べて前記非類似個所表示ステップにおいて表示される文書の解像度が高いこと、または圧縮率が低いことを特徴とする請求項１３に記載の文書処理方法。
【請求項１５】
前記複数の文書の全体の類似度に応じて文書を分類する文書分類ステップを有することを特徴とする請求項１３または１４に記載の文書処理方法。
【請求項１６】
前記類似個所表示ステップにおいては、前記文書分類手段により分類された複数の文書の中の代表的な１つの文書の類似個所または、複数の文書のうち平均的な少なくとも１つの文書の類似個所を表示し、前記非類似個所表示ステップにおいては、前記非類似個所表示ステップにおいて表示するよりも多くの非類似個所を表示することを特徴とする請求項１５に記載の文書処理方法。
【請求項１７】
前記類似個所表示ステップにおいては、前記文書分類ステップで分類された複数の文書の中の代表的な１つの文書の類似個所または、複数の文書のうち平均的な少なくとも１つの文書の類似個所を表示し、前記非類似個所表示ステップにおいては、非類似個所を、前記類似個所表示ステップで表示する類似個所とオーバラップして表示することを特徴とする請求項１５に記載の文書処理方法。
【請求項１８】
次の文書を表示したときは、前記非類似個所表示ステップでは非類似個所のみを表示することを特徴とする請求項１７に記載の文書処理方法。
【請求項１９】
コンピュータを、請求項１１から１８の何れかに記載の各ステップを実行させるように機能させる文書処理プログラム。
【請求項２０】
コンピュータを、請求項１１から１８の何れかに記載の各ステップを実行させるように機能させるプログラムを記録したコンピュータ読み取り可能な記録媒体。
【発明の詳細な説明】
【技術分野】
【０００１】
本発明は、パーソナルコンピュータ、ＰＤＡ、携帯電話等のディスプレイの限られた表示スペースに文書画像等の表示スペースよりも大きな画像を表示する際に、ユーザに使い勝手の良い表示画面を提供することができる文書処理装置、文書処理システム、文書処理方法、文書処理プログラムおよび記録媒体に関する。
【背景技術】
【０００２】
従来、文書をデータベース化し、さらには、要素タグをつけたり、検索を行ったりという提案が行われている（特許文献１，特許文献２，特許文献３参照）。これら各文献の技術では、文書をデータベース化したり、要素タグをつけたり、検索を行うことにより、ユーザーが目的とする（探し出したい）文書を容易に発見しやすくすることができる。
【０００３】
【特許文献１】特開２０００−２２２４３８
【特許文献２】特開２００１−３４６３０
【特許文献３】特許第２９７１２９５号
【発明の開示】
【発明が解決しようとする課題】
【０００４】
しかし、上記従来技術は、何れも、類似文書の区別、たとえば、ある文書の一部を修正し、改版バージョンとして管理保存する場合や、定型のフォーマットに記載された伝票類などを、識別することは困難な場合が多い。
【０００５】
たとえば、ＭＦＰやスキャナなどで入力された画像が、たとえば、請求書、領収書、会議議事録、会議開催通知等の種類に応じて自動分類され、フォルダー分けされる。さらに、ある種類の書類（たとえば請求書）がさらに複数に分類される場合には、複数のフォルダに区分けされる。
この場合、１つのフォルダーに蓄積された画像を表示する際に、類似画像であるために、縮小表示したのでは、各書類相互間で、区別がつかないという問題がある。
本発明の目的は、小さな表示スペースしかなくても、ユーザが必要とする項目のみを表示することで、当該表示スペースを有効に使用することができるようにすることにある。
【課題を解決するための手段】
【０００６】
本発明の文書処理装置は、複数の文書のそれぞれのレイアウトを抽出し当該レイアウトに基づき文書を区分する文書区分手段と、前記各文書中の類似していない個所を抽出する非類似個所抽出手段と、前記非類似個所抽出手段が抽出した個所のみを表示する非類似個所表示手段とを有することを特徴とする。
【０００７】
上記文書処理装置では、複数の文書の全体の類似度に応じて文書を分類する文書分類手段を有することができる。
【０００８】
前記文書区分手段および前記非類似個所抽出手段、前記文書分類手段を備えたサーバと、前記非類似個所表示手段を備えたクライアントとを接続することで本発明の文書処理システムを構成することができる。
【０００９】
本発明の文書処理装置は、複数の文書のそれぞれのレイアウトを抽出し当該レイアウトに基づき文書を区分する文書区分手段と、前記各文書中の類似していない個所を抽出する非類似個所抽出手段と、前記各文書中の類似している個所を抽出する類似個所抽出手段と、前記非類似個所抽出手段が抽出した個所のみを表示する非類似個所表示手段と、前記類似個所抽出手段が抽出した個所のみを表示する類似個所表示手段とを有することをも特徴とする。
【００１０】
上記文書処理装置は、前記類似個所表示手段に表示される文書の解像度に比べて前記非類似個所表示手段に表示される文書の解像度を高くし、または圧縮率を低くすることができる。また、上記文書処理装置は、前記複数の文書の全体の類似度に応じて文書を分類する文書分類手段を有するように構成することもできる。
【００１１】
上記文書処理装置は、前記類似個所表示手段が、前記文書分類手段により分類された複数の文書の中の代表的な１つの文書の類似個所または、複数の文書のうち平均的な少なくとも１つの文書の類似個所を表示し、前記非類似個所表示手段が、前記類似個所表示手段が表示するよりも多くの非類似個所を表示するように構成できる。
【００１２】
また、上記文書処理装置は、前記類似個所表示手段が、前記文書分類手段により分類された複数の文書の中の代表的な１つの文書の類似個所または、複数の文書のうち平均的な少なくとも１つの文書の類似個所を表示し、前記非類似個所表示手段が非類似個所を、前記非類似個所表示手段が表示する類似個所とオーバラップして表示するように構成できる。
【００１３】
また、上記文書処理装置は、次の文書を表示したときは、前記非類似個所表示手段は非類似個所のみを表示するように構成できる。
【００１４】
前記文書区分手段、類似個所抽出手段および非類似個所抽出手段と、前記文書分類手段とを備えたサーバと、前記類似個所表示手段および非類似個所表示手段を備えたクライアントとを接続することで本発明の文書処理システムを構成することができる。
【００１５】
本発明の文書処理方法は、複数の文書のそれぞれのレイアウトを抽出し当該レイアウトに基づき文書を区分する文書区分ステップと、前記各文書中の類似していない個所を抽出する非類似個所抽出ステップと、前記非類似個所抽出手段が抽出した個所のみを表示する非類似個所表示ステップとを有することを特徴とする。
【００１６】
上記の文書処理方法は、前記複数の文書の全体の類似度に応じて文書を予め分類する文書分類ステップを有することができる。
【００１７】
本発明の文書処理方法は、複数の文書のそれぞれのレイアウトを抽出し当該レイアウトに基づき文書を区分する文書区分ステップと、前記各文書中の類似していない個所を抽出する非類似個所抽出ステップと、前記各文書中の類似している個所を抽出する類似個所抽出ステップと、前記非類似個所抽出手段が抽出した個所のみを表示する非類似個所表示ステップと、前記類似個所抽出手段が抽出した個所のみを表示する類似個所表示ステップと、
を有することをも特徴とする。
【００１８】
上記の文書処理方法では、前記類似個所表示ステップにおいて表示される文書の解像度に比べて前記非類似個所表示ステップにおいて表示される文書の解像度を高くし、または圧縮率を低くすることができる。
【００１９】
上記の文書処理方法は、前記複数の文書の全体の類似度に応じて文書を分類する文書分類ステップを有することができる。
【００２０】
上記の文書処理方法では、前記類似個所表示ステップにおいては、前記文書分類手段により分類された複数の文書の中の代表的な１つの文書の類似個所または、複数の文書のうち平均的な少なくとも１つの文書の類似個所を表示し、前記非類似個所表示ステップにおいては、前記非類似個所表示ステップにおいて表示するよりも多くの非類似個所を表示するようにできる。
【００２１】
上記の文書処理方法は、前記類似個所表示ステップにおいては、前記文書分類ステップで分類された複数の文書の中の代表的な１つの文書の類似個所または、複数の文書のうち平均的な少なくとも１つの文書の類似個所を表示し、前記非類似個所表示ステップにおいては、非類似個所を、前記非類似個所表示ステップで表示する類似個所とオーバラップして表示するようにできる。
【００２２】
上記の文書処理方法では、次の文書を表示したときは、前記非類似個所表示ステップでは非類似個所のみを表示するようにできる。
【００２３】
本発明の文書処理プログラムは、コンピュータを、請求項１１から１８の何れかに記載の各ステップを実行させるように機能させることを特徴とする。また、本発明のコンピュータ読み取り可能な記録媒体は、コンピュータを、上記各ステップを実行させるように機能させることで実現される。
【発明の効果】
【００２４】
本発明によれば、小さな表示スペースしかなくても、少しでも大きく表示するために、たとえば、請求書であれば、外枠、罫線など定型フォームを除外して、金額や宛先などのみを表示することができる。これにより、限られたスペースに少しでも大きく表示することができ、ユーザーはその内容を容易に確認することができる。
【発明を実施するための最良の形態】
【００２５】
図１は本発明の第１実施形態の文書処理装置を示すブロック図である。図１において、文書処理装置１Aは、文書分類手段１０１と、文書区分手段１０２と、非類似個所抽出手段１０３と、非類似個所表示手段１０４と、文書保存手段１０５とを備えている。
文書分類手段１０１は、文書保存手段１０５に保存された複数の文書を呼び出し、全体の類似度に応じて各文書を分類することができる。
【００２６】
文書区分手段１０２は、各文書を区分することができる。非類似個所抽出手段１０３は、各文書中の類似していない個所を抽出することができる。また、非類似個所表示手段１０４は、非類似個所抽出手段１０３が抽出した個所のみを表示することができる。ここで、文書は大きく２つに分けられる。１つは、ワープロデータや表計算ソフト、さらには各要素が構造化されタグなどで意味付けされ管理されている電子データとして扱える文書である。もう１つは、紙データをスキャンして得られた、いわゆる画像データ（イメージデータ）である。
【００２７】
図２は、文書の類似度の説明図である。図２では、基準となる文書（基準文書ＢＤ）と、比較対象となる文書（参照文書ＲＤ１〜ＲＤ４）が表示されている。
基準文書ＢＤは、文字領域ａ１，ａ２，ａ３と線画領域ａ４とからなる。参照文書ＲＤ１は、文字領域ｂ１，ｂ２，ｂ３とからなる。これらの領域は、文書区分手段１０２が区分することができる。
【００２８】
文書分類手段１０１は、各領域の配置、大きさ、属性などから、類似度を判定することができる。
参照文書ＲＤ１を基準文書ＢＤと比較した場合、文字領域ｂ１，ｂ２は文字領域ａ１，ａ２と同一位置（または実質同一位置）に配置され、文字領域ｂ３は文字領域ａ３と線画領域ａ４の位置に配置されているので、参照文書ＲＤ１と基準文書ＢＤとの類似度は高い。
【００２９】
参照文書ＲＤ２を基準文書ＢＤと比較した場合、文字領域ｃ１は文字領域ａ１と同一位置（または実質同一位置）に配置され、文字領域ｃ２は文字領域ａ２，ａ３および線画領域ａ４の位置に配置されているので参照文書ＲＤ２と基準文書ＢＤとの類似度は、参照文書ＲＤ１と基準文書ＢＤとの類似度よりも低い。
【００３０】
参照文書ＲＤ３を基準文書ＢＤと比較した場合、線画領域ｄ１，ｄ２に対応する領域は基準文書ＢＤには存在しない（または、存在しても位置が大きくずれ領域の属性（文字領域か線図領域か）が大きく異なる）し、文字領域ｄ３に対応する領域は基準文書ＢＤには存在しない（または、存在しても位置が大きくずれ領域の属性が大きく異なる）ので参照文書ＲＤ３と基準文書ＢＤとの類似度は低い。
【００３１】
図２の例では、文書分類手段１０１は、参照文書ＲＤ１，ＲＤ２を同一のグループに分類することができる。
なお、図２では、文書分類手段１０１は、文字領域と線画領域の２属性に分類したが、文書画像を、文字領域、写真領域、表領域などの属性に分類をすこともできる。文字領域は、さらにタイトル領域、本文領域、脚注領域などに分類してもよい。たとえば、文字領域ａ１，ｂ１，ｃ１がタイトル領域、文字領域ａ２，ａ３，ｂ２，ｂ３，ｃ２を文書領域として認識することができる。
【００３２】
文書分類手段１０１は、より具体的には、タイトル領域が文書中の上にあるか否か。２段組みであるか否か、文字領域の大きさは同じか否か等を参照して分類を行なうこともできる。また、これらの画像を重ね合わせ、同じ属性の画素はスコアがゼロ、違う属性の画素はスコアを１とし、スコアが小さい文書同士は類似度が高いとして分類を行なうことができる。
【００３３】
非類似個所抽出手段１０３は、文書中の類似していない個所を抽出し、各区分について、類似判定を行い、文書中の類似箇所、非類似箇所を特定する。すなわち、文書分類手段１０１により、文書の分類を行った後に、非類似個所抽出手段１０３により各領域ごとに類似度を比較する。
【００３４】
図３（Ａ），（Ｂ），（Ｃ）により、基準文書ＢＤと参照文書ＲＤとの比較を例に説明をする。図３（Ａ）では、文字領域ａ３と線画領域ａ４からなる領域と、文字領域ｂ３が異なっている（図３（Ｂ）参照：線画領域ａ４と文字ｂ３との重複部分をｂ３′で示す）ことから、非類似個所表示手段１０４は、図３（Ｃ）に示すように異なっている領域（線画領域ａ４と文字領域ｂ３の線画領域ａ４に対応する部分ｂ３′）のみをディスプレイＤＰＬＹ表示する。これにより、ユーザは、２つの文書（基準文書ＢＤと参照文書ＲＤ）の区別が可能となる。
【００３５】
図４は本発明の第２実施形態の文書処理装置を示すブロック図である。図４において、文書処理装置１Ｂは、図１に示した文書処理装置１Ａの各構成要件に加え、類似個所抽出手段１０６と、類似個所表示手段１０７とを備えている。類似個所抽出手段１０６は、各文書中の類似している個所を抽出することができる。また、類似個所表示手段１０７は類似個所抽出手段１０６が抽出した個所のみを表示することができる。
【００３６】
図５（Ａ），（Ｂ）は、基本画像ＢＣの類似領域ＢＣ−１と、参照画像ＲＣの非類似領域ＲＣ−１とを重ね合わせて表示する例を示している。図５（Ａ）は、基本画像ＢＣの類似領域ＢＣ−１と非類似領域ＢＣ−２とを示すとともに、参照画像ＲＣの非類似領域ＲＣ−１とを示している。また、図５（Ｂ）は基本画像ＢＣの類似領域ＢＣ−１と、参照画像ＲＣの非類似領域ＲＣ−１とが重ねて表示された様子と示している。なお、図示はしないが、基本画像ＢＣを同一として、参照画像ＲＣを順次、異なる文書の参照画像ＲＣに切り換えるようにも構成できる。
【００３７】
図６は本発明の文書処理システムの第１実施形態を示すブロック図である。図６において、サーバ３Ａは、文書分類手段１０１と、文書区分手段１０２と、非類似個所抽出手段１０３と、文書保存手段１０５と、通信手段１０８とを備え、クライアント４Ａは、非類似個所表示手段１２１と、文書保存手段１２３と、通信手段１２４とを備えている。サーバ３Ａの通信手段１０８と、クライアント４Ａの通信手段１２４とは、ネットワーク５００に接続されている。
【００３８】
クライアント４Ａは、たとえば自己の文書保存手段１２３に蓄積した多数の文書を、通信手段１２４を用いてサーバ３Ａの文書保存手段１０５に転送することができる。受信した文書について、サーバ３Ａは、文書分類手段１０１による処理、文書区分手段１０２による処理、非類似個所抽出手段１０３による処理を行い、通信手段１０８を用いて処理結果をクライアント４Ａに転送し、クライアント４Ａの非類似個所表示手段１２１にはリアルタイムで、図３（Ｃ）に示したような画像が表示される。
【００３９】
図７は本発明の文書処理システムの第２実施形態を示すブロック図である。図７において、サーバ３Ｂは図６のサーバ３Ａの各構成要素に加え、類似個所抽出手段１０６を備え、クライアント４Ｂは図６のクライアント４Ａの各構成要素に加え、類似個所抽出手段１２２を備えている。
【００４０】
この実施形態では、たとえばクライアント４Ｂは、自己の文書保存手段１２３に蓄積した多数の文書を、通信手段１２４を用いてサーバ３Ｂの文書保存手段１０５に転送することができる。受信した文書について、サーバ３Ｂは、文書分類手段１０１による処理、文書区分手段１０２による処理、非類似個所抽出手段１０３、類似個所抽出手段１０６による処理を行い、通信手段１０８を用いて処理結果をクライアント４Ｂに転送することができる。クライアント４Ｂの非類似個所表示手段１２１、類似個所表示手段１２２にはリアルタイムで、図５（Ｂ）に示したような画像が表示される。
【図面の簡単な説明】
【００４１】
【図１】本発明の第１実施形態の文書処理装置を示すブロック図である。
【図２】文書の類似度の説明図である。
【図３】基準文書ＢＤと参照文書ＲＤとの比較を例示する図であり、（Ａ）は比較の様子を示す図、（Ｂ）は比較によって得られた非類似領域を示す図、（Ｃ）は非類似領域をディスプレイに表示した状態を示す図である。
【図４】本発明の第２実施形態の文書処理装置を示すブロック図である。
【図５】基本画像の類似領域と、参照画像の非類似領域とを重ね合わせて表示する例を示す図であり、（Ａ）は基本画像の類似領域と非類似領域とを示すとともに、参照画像の非類似領域とを示す図、（Ｂ）は基本画像の類似領域と参照画像の非類似領域とが重ねて表示された様子と示す図である。
【図６】本発明の文書処理システムの第１実施形態を示すブロック図である。
【図７】本発明の文書処理システムの第２実施形態を示すブロック図である。
【符号の説明】
【００４２】
１Ａ，１Ｂ  文書処理装置
３Ａ，３Ｂ  サーバ
４Ａ，４Ｂ  クライアント
１０１  文書分類手段
１０２  文書区分手段
１０３  非類似個所抽出手段
１０４，１２１  非類似個所表示手段
１０５，１２３  文書保存手段
１０６  類似個所抽出手段
１０７，１２２  類似個所表示手段
１０８，１２４  通信手段
５００  ネットワーク
【図１】
2005063220.tif 000003
【図２】
2005063220.tif 000004
【図３】
2005063220.tif 000005
【図４】
2005063220.tif 000006
【図５】
2005063220.tif 000007
【図６】
2005063220.tif 000008
【図７】
2005063220.tif 000009